(57)【要約】【課題】層数やスペースの調整に便利性を提供し、組立作業上において、更にスピーディに待つ簡単に実施可能で、全体組立作業が簡便化される無段ローラーガイド式定位置構造を提供する。【解決手段】支柱１０は矩形或いはアーチ型等の形態で、枠棒２０の組立に供する側面部位に一体成形の縦向き嵌め込み槽１１が設けられ、縦向き嵌め込み槽１１には幅が狭い開槽１２が設けられる。嵌め込み槽はＴ字型を呈し、枠棒２０端部を挿入組立てる接合部品３０が嵌め込み組立てられ、その位置限界が得られる。枠棒２０もまた矩形或いはパイプ型等の適当な形態である。枠棒２０が支柱１０の任意の位置に挿入組立可能で、接合部品３０が適切に回転し初歩的な定位置が得られる。その後、栓プラグ２７、ナット２６で結合関係の定位置機能を決定することで、組立作業や実施制限を軽減する。【選択図】図１
0003119207.tif 000002
【実用新案登録請求の範囲】
【請求項１】
無段ローラーガイド式定位置構造であって、組立式食器棚或いは物置棚の支柱と枠棒の接合組立のための設計であり、縦向き支柱を利用して多数の枠棒を配して組立てる食器棚或いは物置棚の骨組みに、前記枠棒で組成され囲まれた空間内に仕切り板或いは面板を置くことにより、食器棚或いは物置棚の全体構造とし、
前記枠棒内部に１つの接合部品組立に供される円形パイプ層が形成され、当該円形パイプ槽の両端は更に枠棒の２つの端面とある段差を保留して、その１つの側で槽を割って枠棒の側面に貫通し、別の枠棒に近い部分の側板面側に円形パイプ槽を貫通する栓穴を設け、ナットを配して栓プラグにより締めることが可能であり、
接合部品主体は１つの円柱で、円柱の一端には矩形コックを形成し、コックの幅は支柱の縦向き嵌め込み槽の開槽サイズよりもやや小さく、コックの長さは支柱嵌め込み槽の開槽サイズよりも大きく、接合部品棒身のコック長さ方向に相対する１辺には止め金を設け、隣り合わされる止め金の１辺の棒身にはアーチ型の凹み止め槽があり、接合部品を枠棒に挿入する際、枠棒端部と円形パイプ槽の落差で接合部品のコックに供しその中に隠し置くことで、枠棒が接合部品コックで縦向き形態を呈し、支柱の縦向き嵌め込み槽の任意の位置に併接し、
更に止め金の推し制御が接合部品及び端部コックの外移動をもたらし、コックがスムーズに支柱の縦向き嵌め込み槽に挟まった後、更に枠棒を回転させて接合部品のコックを９０度回転させ、支柱の縦向き嵌め込み槽と相互に垂直関係を呈して脱落しないようにし、
最後に止め金を操作して接合部品及びその端部コックを枠棒内部に収縮させ、コックを嵌め込み槽内側に固定し、同時に栓プラグで接合部品を締め、この様にして枠棒と支柱のスピーディな組立固定が可能となり、
枠棒にスピーディに支柱の任意の位置に組立てられる機能を与えることを特徴とする無段ローラーガイド式定位置構造。
【請求項２】
前記枠棒の予定内側には１つのバッフルを設け、組立後、仕切り板或いは面板を配置し、前記円形パイプ槽の１側面の割槽を枠棒内側に相当する当該バッフルの下側位置に設置し、同時に当該栓プラグを締め入れる栓穴を枠棒の底側板面に設置し、その全体組立上に、接合部品及び栓プラグが外に見えないようにすることを特徴とする請求項１記載の無段ローラーガイド式定位置構造。
【考案の詳細な説明】
【技術分野】
【０００１】
本考案は、無段ローラーガイド式定位置構造に関し、特に、組立式食器棚や物置棚の支柱と枠棒結合に関する。
【背景技術】
【０００２】
周知の金属製組立式食器棚や物置棚はその構造設計上、通常はサイズが比較的大きい縦向き支柱に多数の枠棒を配し、食器棚や物置棚を接合組立てた後、枠棒で組立てた空間内に仕切り板や天板を並べ、食器棚や物置棚の全体構造としている。
【０００３】
この類の組立式食器棚や物置棚は構造組成上、主にアルミ製支柱の側面に嵌め込み槽を事前に設け、枠棒の端部を挿入する接合部品を上から或いは下から嵌め込んで予定の位置に移動させ、最後にビスやナットで接合部品を締めることで支柱と固定する効果を得て、枠棒と支柱の組立定位置関係を達成している。
【考案の開示】
【考案が解決しようとする課題】
【０００４】
しかしながら、上述のような構造形態下では、枠棒と支柱の組立上、枠棒は支柱の上端或いは下端より順に嵌め込み組立てられる。この様にすると、その組立上に極めて大きい制限が生じ、物置棚や食器棚の現有スペースに仕切り板を追加設置する場合、枠棒を支柱の任意の位置に直接挿入接合することはできず、苦心して現有の枠棒に適切な調整を加えるか分解して、追加枠棒を設置しなければならないので、極めて面倒且つ不便であり、その実用性に厳重な影響があり、実際に何とかしてか解決する改善が待たれているところであった。
【０００５】
周知の組立式食器棚或いは物置棚の構造から派生する組立の欠点に鑑み、創作人は特に研究改良に着手した。関連業界に従事した長年の経験と技術に基づいて、本考案の無段ローラーガイド式定位置構造を研究創出した。
【０００６】
その主要目的は構造の組立設計において、その枠棒が直接支柱の任意の位置に組立てられ、そして取外せることである。これにより、食器棚或いは物置棚の層数やスペースの調整に便利性を提供する。
【０００７】
本考案のもう１つの目的は、構造の組成設計を通して、その枠棒と支柱の組立作業上において、更にスピーディに待つ簡単に実施可能で、全体組立作業が簡便化されることである。
【課題を解決するための手段】
【０００８】
上述の目的を達成するために本考案の請求項に記載の無段ローラーガイド式定位置構造は、主に組立式食器棚或いは物置棚の支柱と枠棒の接合組立のために設計され、縦向き支柱を利用して多数の枠棒を配して組立てる食器棚或いは物置棚の骨組みに、その枠棒で組成され囲まれた空間内に仕切り板或いは面板を置く事により、食器棚或いは物置棚の全体構造とする。
【０００９】
枠棒内部に１つの接合部品組立に供される円形パイプ層が形成され、円形パイプ槽の両端は枠棒の２つの端面と所定の段差を保留し、１つの側で槽を割って枠棒の側面に貫通する。別の枠棒に近い部分の側板面側には円形パイプ槽を貫通する栓穴を設け、ナットを配して栓プラグにより締めることが可能である。
【００１０】
接合部品主体は１つの円柱で、円柱の一端には矩形コックを形成し、コックの幅は支柱の縦向き嵌め込み槽の開槽サイズよりもやや小さく、コックの長さは支柱嵌め込み槽の開槽サイズよりも大きく成形される。接合部品棒身のコック長さ方向に相対する１辺には止め金を設け、隣り合わされる止め金の１辺の棒身にはアーチ型の凹み止め槽が設けられる。接合部品を枠棒に挿入する際、枠棒端部と円形パイプ槽の落差で接合部品のコックに供しその中に隠し置くことで、枠棒は接合部品コックにより縦向き形態を呈し、支柱の縦向き嵌め込み槽の任意の位置に併接する。
【００１１】
止め金の推し制御は接合部品及び端部コックに外移動をもたらし、コックがスムーズに支柱の縦向き嵌め込み槽に挟まった後、更に枠棒を回転させて接合部品のコックを９０度回転させ、支柱の縦向き嵌め込み槽と相互に垂直関係を呈して脱落しないように配置される。
【００１２】
止め金を操作して接合部品及びその端部コックを枠棒内部に収縮させ、コックを嵌め込み槽内側に固定し、同時に栓プラグで接合部品を締めることで枠棒と支柱のスピーディな組立固定が可能となり、枠棒にスピーディに支柱の任意の位置に組立可能とする機能を与える。
【考案を実施するための最良の形態】
【００１３】
以下、本考案の実施例を図面に基づいて説明する。
図１、図２には本考案の実施例による構造分解説明図、図３から図６には本考案の実施例による組立構造動作説明図、図７には本考案の実施例による局部構造説明図を示す。図に示す通り、その構造設計上、主に組立式食器棚或いは物置棚の支柱１０と枠棒２０の組立結合のために設計した。
【００１４】
支柱１０はアルミ製で、矩形或いはアーチ型等の形態で設計されている。枠棒２０の組立に供する側面部位に一体成形の縦向き嵌め込み槽１１が設けられ、縦向き嵌め込み槽１１には幅が狭い開槽１２が設けられる。嵌め込み槽はＴ字型を呈し、枠棒２０端部を挿入組立てる接合部品３０が嵌め込み組立てられ、その位置限界が得られる。
【００１５】
枠棒２０もまたアルミ製で、矩形或いはパイプ型等の適当な形態である。枠棒２０の予定内側には１つのバッフル２１が設けられ、組立後に仕切り板或いは面板未描画を置くことが可能である。枠棒２０内部のバッフル２１に相対する下方に１つの円形パイプ槽２２が形成され、円形パイプ槽２２と枠棒２０端部には適切な落差が保留されている。落差深度は接合部品３０のコック３２がその中に隠された場合に枠棒２０端面から突出しない。また、パイプ層の一端には１つの割槽２３が設けられ、枠棒２０の内側を貫通して、パイプ槽２２が接合部品３０に組立てられる。枠棒２０近端部の底側板面には１つの貫通円形パイプ槽２２の栓穴２４が設けられ、側板面内側で１つの嵌め容れ槽２５を形成してナット２６の嵌め入れに供する。ナット２６を配して栓穴２４に栓プラグ２７を締めいれ、パイプ槽２２内の接合部品３０の挿入組立について締め付け限界位置を形成している。
【００１６】
接合部品３０の主体は１つの円柱３１で、円柱３１一端に１つの矩形コック３２を形成している。コック３２の幅は支柱１０の縦向き嵌め込み槽１１の開槽１２サイズよりもやや小さく、コック３２の長さは支柱１１縦向き槽１１の開槽１２サイズよりも大きくなっている。同時に接合部品３０棒身のコック３２長さ方向に相当する一辺に１つの止め金３３を設け、隣り合わされる止め金３３の１辺の棒身にはアーチ型の凹み止め槽３４が設けられている。
【００１７】
上述の構造組立は、接合部品３０を枠棒２０の円形パイプ槽２１に挿入する際、枠棒２０に事前に設置してある割槽２３が接合部品３０の止め金３３に滑り移動機能を与え、止め金３３が接合部品３０の外移動或いは内側収縮を制御する。枠棒２０と支柱１０の組立作業上、特に接合部品３０の内側移動操作は、接合部品３０端部のコック３２を枠棒２０端部の落差スペース内に隠し置くことで、枠棒２０が接合部品３０のコック３２で縦向き形態を呈し、支柱１０の縦向き嵌め込み槽１１の任意の位置に併接する。更に止め金３３の推し制御が接合部品３０及び端部コック３２の外移動をもたらし、コック３２がスムーズに開槽１２を通過して支柱１０の縦向き嵌め込み槽１１に挟まる。この時、枠棒２０を回転させることで、接合部品３０のコック３２を９０度回転させ、コック３２が支柱１０の縦向き嵌め込み槽１１と相互に垂直関係を呈する。コック３２の長さが開槽１２より大きい設計により、コック３２は支柱１０の縦向き嵌め込み槽１１から脱落しない。この様にして得られた枠棒２０と支柱１０の組立関係の初歩的定位置は、更に止め金３３を操作して接合部品３０及びその端部コック３２を枠棒２０内部に収縮移動させ、コック３２を嵌め込み槽１１内側に固定する。最後に枠棒２０底側板面の栓プラグ２７で接合部品３０のアーチ型の凹み止め槽３４を締め、接合部品３０端部のコック３２は支柱１０の縦向き嵌め込み槽１１内側に締め付けられる。この様にして枠棒２０と支柱１０はスピーディに組立結合固定される。接合部品３０の設計を通して、枠棒２０はスピーディに支柱１０の任意の位置に組立てられ、食器棚や物置棚骨組みの自由な組合わせの便利性や変化性を増進させ極めて良好な実用価値を達成する。
【００１８】
図８は本考案の実施例による枠棒２０の接合部品を支柱１０の縦向き嵌め込み槽に配する設計を示す。枠棒２０が直接支柱１０の任意の位置に組立接合され、面板或いは仕切り板４０を配して枠棒２０が囲んで形成された空間内に置く事で、図が示すような物置棚或いはその他食器棚等の物品が組立てられる。しかも栓プラグは枠棒２０底側面板から締め入れているので、接合部品の止め金は枠棒２０内側割槽に隠され、全体外観からは接合部品及び栓プラグ等の付属品が完全に見えず、美観と価値観をもたらす。枠棒２０を内部接続部品の挿入組立回転式設計に配することで、仕切り層間距離の調整や層数の増加が可能で、無段定位置及び組立の機能効果が達成可能である。周知の構造が順に枠棒を組立てなければならないことから派生する多くの制限や問題と比較して、本考案は実用価値と実用性を兼ね備えている。
【図面の簡単な説明】
【００１９】
【図１】本考案の実施例による無段ローラーガイド式定位置構造を示す局部位構造分解説明図である。
【図２】本考案の実施例による無段ローラーガイド式定位置構造の枠棒と接合部品を示す局部構造分解説明図である。
【図３】本考案の実施例による無段ローラーガイド式定位置構造を示す組立動作説明図１である。
【図４】本考案の実施例による無段ローラーガイド式定位置構造を示す組立動作説明図２である。
【図５】本考案の実施例による無段ローラーガイド式定位置構造を示す組立動作説明図３である。
【図６】本考案の実施例による無段ローラーガイド式定位置構造を示す組立動作説明図４である。
【図７】本考案の実施例による無段ローラーガイド式定位置構造の組立完成後の局部構造説明図である。
【図８】本考案の実施例による無段ローラーガイド式定位置構造を物置棚に実施した状態を示す図である。
【符号の説明】
【００２０】
１０  支柱、１１  縦向き嵌め込み槽、１２  開槽、２０  枠棒、２１  バッフル、２２  パイプ槽、２３  割槽、２４  栓穴、２５  嵌め容れ槽、２６  ナット、２７  栓プラグ、３０  接合部品、３１  円柱、３２  コック、３３  止め金、３４  アーチ型の凹み止め槽、４０  仕切り板
【図１】
0003119207.tif 000003
【図２】
0003119207.tif 000004
【図３】
0003119207.tif 000005
【図４】
0003119207.tif 000006
【図５】
0003119207.tif 000007
【図６】
0003119207.tif 000008
【図７】
0003119207.tif 000009
【図８】
0003119207.tif 000010